(57)【特許請求の範囲】
【請求項１】
第１のアンテナに接続され、該第１のアンテナで受信した信号を第１の受信信号として出力する第１の受信部と、
第２のアンテナに接続され、該第２のアンテナで受信した信号を第２の受信信号として出力する第２の受信部と、
前記第１の受信信号と前記第２の受信信号を合成する合成部と、
前記合成部の動作状態からフェーズダイバーシティ受信を継続するかどうかを判断し、該判断の結果に基づき前記合成部の動作を制御する制御部と、
前記合成部から出力された合成受信信号を復調する復調部と、
を備え、
前記第１および第２の受信信号は、それぞれ、前記第１のアンテナで受信した信号を変換して得られた第１のＩＱ信号および前記第２のアンテナで受信した信号を変換して得られた第２のＩＱ信号であり、
前記合成受信信号は、前記第１および第２のＩＱ信号の合成により得られた合成ＩＱ信号であり、
前記合成部は、前記合成ＩＱ信号の生成に用いられるウェイトベクトルを算出するＷＶ算出部を備え、
前記ＷＶ算出部は、前記第１のＩＱ信号に対する演算係数である第１のウェイトベクトルと前記第２のＩＱ信号に対する演算係数である第２のウェイトベクトルを算出し、
前記制御部は、前記第１と第２のウェイトベクトルの大きさの比較結果に基づいて、前記合成部の動作を制御する受信装置。
【請求項２】
第１のアンテナに接続され、該第１のアンテナで受信した信号を第１の受信信号として出力する第１の受信部と、
第２のアンテナに接続され、該第２のアンテナで受信した信号を第２の受信信号として出力する第２の受信部と、
前記第２の受信部から出力された前記第２の受信信号からＲＤＳデータを出力するＲＤＳデコーダと、
前記第１の受信信号と前記第２の受信信号を合成する合成部と、
前記第２の受信部から出力された前記第２の受信信号を、前記合成部と前記ＲＤＳデコーダの何れか一方に出力するための切替部と、
前記合成部の動作状態からフェーズダイバーシティ受信を継続するかどうかを判断し、該判断の結果に基づき、前記合成部の動作と前記切替部の動作を制御する制御部と、
前記合成部から出力された合成受信信号を復調する復調部と、
を備え、
前記第１および第２の受信信号は、それぞれ、前記第１のアンテナで受信した信号を変換して得られた第１のＩＱ信号および前記第２のアンテナで受信した信号を変換して得られた第２のＩＱ信号であり、
前記合成受信信号は、前記第１および第２のＩＱ信号の合成により得られた合成ＩＱ信号であり、
前記合成部は、前記合成ＩＱ信号の生成に用いられるウェイトベクトルを算出するＷＶ算出部を備え、
前記ＷＶ算出部は、前記第１のＩＱ信号に対する演算係数である第１のウェイトベクトルと前記第２のＩＱ信号に対する演算係数である第２のウェイトベクトルを算出し、
前記制御部は、前記第１と第２のウェイトベクトルの大きさの比較結果に基づいて、前記合成部の動作と前記切替部の動作を制御する受信装置。
【請求項３】
前記制御部は、前記第１と第２のウェイトベクトルの大きさの比もしくは差が閾値を超えた場合、フェーズダイバーシティ受信を停止するよう、前記合成部の動作を制御する、請求項１に記載の受信装置。
【請求項４】
前記制御部は、前記第１と第２のウェイトベクトルの大きさの比もしくは差が閾値を超えた場合、フェーズダイバーシティ受信を停止し、前記第２の受信信号を前記ＲＤＳデコーダに出力するよう、前記合成部および前記切替部の動作を制御する、請求項２に記載の受信装置。
【請求項５】
前記復調部は、該復調部で復調した信号を、音声情報としてユーザに提供するスピーカ部に出力する、
請求項１乃至４の何れか１項に記載の受信装置。
【発明の詳細な説明】
【技術分野】
【０００１】
本発明は、放送信号および放送信号に多重化されたデータを受信可能な受信装置に関する。より詳細には、２つのチューナを用いてフェーズダイバーシティの受信を行い、また、２つのチューナが異なる放送信号の受信を行うラジオ受信装置に関する。
【背景技術】
【０００２】
従来の車載用ラジオ受信装置として、マルチパス妨害などにより発生するノイズを軽減するために、複数のアンテナを用いたダイバーシティ受信が一般的に行われている。ダイバーシティ受信には、複数のアンテナで受信した信号を切り替えて状態の良い受信信号を選択するスイッチングダイバーシティ受信と、複数のアンテナで受信した信号を合成するフェーズダイバーシティ受信がある。このうち、フェーズダイバーシティ受信方式は、複数のアンテナでそれぞれ受信した受信信号を、マルチパス妨害などのノイズを除去するように合成する。
【０００３】
フェーズダイバーシティ受信の利点は、２つのチューナを用いてマルチパス妨害などを除去することで良好な受信信号を得て、この受信信号に基づいてユーザに情報を提供する点にある。しかし、一方で、受信装置には、２つのチューナで別々の放送局からの信号を受信するということも求められる場合もある。例えば、一方のチューナで、ある放送局のラジオ放送を受信してその放送内容をユーザに提供すると共に、他方のチューナで、別の放送局のラジオ放送やRadio Data System（ＲＤＳ）データを受信するといったことが行われる仕様のものもある。以下では、２つのチューナで別々の放送局からの信号を受信することを２局受信と記述する。
【０００４】
この場合、フェーズダイバーシティ受信と２局受信を最適なタイミングで切り替える必要がある。特に車載用のラジオ受信装置の場合、車両の移動に伴い、車両の受信環境が変化するため、アンテナの受信状態をみて最適なタイミングでフェーズダイバーシティ受信と２局受信を両立しなければならない。
【０００５】
アンテナの受信状態をみてフェーズダイバーシティ受信と２局受信を両立する方法として、受信信号の電界強度、マルチパス妨害のノイズレベル、隣接妨害のノイズレベル、ＲＤＳデータのエラーレートなどに基づいて受信状況を判断することにより、フェーズダイバーシティ受信と２局受信を切り替える方法が知られている（例えば、特許文献１の第８頁や第２図を参照）。
【先行技術文献】
【特許文献】
【０００６】
【特許文献１】特開2007-60624号公報
【特許文献２】特開2008-301300号公報
【発明の概要】
【発明が解決しようとする課題】
【０００７】
しかしながら、上述したような従来の方法、すなわち、受信信号の電界強度、マルチパス妨害のノイズレベル、隣接妨害のノイズレベル、ＲＤＳデータのエラーレートなどに基づいてフェーズダイバーシティ受信と２局受信を切り替える方法では、切り替えの適否を、受信信号の状態でしか判断できない。このため、最適なタイミングでフェーズダイバーシティ受信と２局受信を切り替えることできないという問題がある。
【０００８】
最適なタイミングでフェーズダイバーシティ受信と２局受信を切り替えるには、フェーズダイバーシティ受信による改善効果が大きい場合はフェーズダイバーシティ受信を行い、フェーズダイバーシティ受信による改善効果が小さい場合は、フェーズダイバーシティ受信を行わず、２局受信を行うことが望ましい。ここで、フェーズダイバーシティ受信による改善効果が小さい場合には、例えば、元々受信状態が良好で、フェーズダイバーシティ受信しなくても良好な受信が可能な場合、もしくは、受信状態が悪く、フェーズダイバーシティ受信しても改善効果が期待できない場合、もしくは、一方のアンテナの受信状態が良く、他方のアンテナの受信状態が悪い場合などで、フェーズダイバーシティ受信をするよりも、１つのアンテナの受信信号を選択する方が、良好な受信が可能な場合がある。
【０００９】
本発明は、フェーズダイバーシティ受信と２局受信の切り替えの要否が信号の受信状態でしか判断できない従来方法の問題を解決するためになされたもので、その目的とするところは、フェーズダイバーシティの動作状態に基づいてフェーズダイバーシティ受信を行うか２局受信を行うかを判断することで、フェーズダイバーシティ受信と２局受信の切り替えを最適なタイミングで行い、これにより、ユーザに最適な受信信号に基づく情報を提供することにある。
【課題を解決するための手段】
【００１０】
上記目的を達成するために、本発明の受信装置は、第１のアンテナに接続され、該第１のアンテナで受信した信号を第１の受信信号として出力する第１の受信部と、第２のアンテナに接続され、該第２のアンテナで受信した信号を第２の受信信号として出力する第２の受信部と、前記第１の受信信号と前記第２の受信信号を合成する合成部と、前記合成部の動作状態からフェーズダイバーシティ受信を継続するかどうかを判断し、該判断の結果に基づき前記合成部の動作を制御する制御部と、前記合成部から出力された合成受信信号を復調する復調部とを備え、前記第１および第２の受信信号は、それぞれ、前記第１のアンテナで受信した信号を変換して得られた第１のＩＱ信号および前記第２のアンテナで受信した信号を変換して得られた第２のＩＱ信号であり、前記合成受信信号は、前記第１および第２のＩＱ信号の合成により得られた合成ＩＱ信号であり、前記合成部は、前記合成ＩＱ信号の生成に用いられるウェイトベクトルを算出するＷＶ算出部を備え、前記ＷＶ算出部は、前記第１のＩＱ信号に対する演算係数である第１のウェイトベクトルと前記第２のＩＱ信号に対する演算係数である第２のウェイトベクトルを算出し、前記制御部は、前記第１と第２のウェイトベクトルの大きさの比較結果に基づいて、前記合成部の動作を制御する。
【発明の効果】
【００１１】
本発明によれば、フェーズダイバーシティ受信の動作状態を監視することにより、フェーズダイバーシティ受信をすることが適切かどうかを判断することができ、最適なタイミングでフェーズダイバーシティ受信を行うかどうかを判断できる。その結果、最適なタイミングで、フェーズダイバーシティ受信と２局受信を切り替えることができる。つまり、本発明によれば、フェーズダイバーシティ受信による改善効果が大きい場合はフェーズダイバーシティ受信を行う一方、フェーズダイバーシティ受信による改善効果が小さい場合は２局受信を行うことにより、最適な受信状態とすることが可能となる。
【図面の簡単な説明】
【００１２】
【図１】本発明の実施の形態１におけるラジオ受信機のブロック図
【図２】本発明の実施の形態２におけるラジオ受信機のブロック図
【図３】本発明の実施の形態１、および実施の形態２における合成部３１の処理内容を示すブロック図
【図４】本発明の実施の形態１における制御部６１の動作説明のためのフロー図
【図５】本発明の実施の形態２における制御部６１の動作説明のためのフロー図
【図６】本発明の実施の形態２におけるフェーズダイバーシティ受信と２局受信の切り替え方法の例を示す図
【発明を実施するための形態】
【００１３】
（実施の形態１）
以下、図面を参照しながら、本発明の実施の形態１における受信装置の構成について説明する。
【００１４】
図１は、本発明の実施の形態１におけるラジオ受信機１００のブロック図である。このラジオ受信機１００は、第１の受信部２１と、第２の受信部２２と、合成部３１と、復調部４１と、制御部６１を備えている。
【００１５】
図１において、第１の受信部２１は、第１のアンテナ１１で受信した信号を第１の受信信号としてのＩＱ信号に変換し、合成部３１に出力する。第２の受信部２２は、第２のアンテナ１２で受信した信号を第２の受信信号としてのＩＱ信号に変換し、合成部３１に出力する。ここで、ＩＱ信号とは、入力信号を直交座標系に変換したものであって、Ｉ信号とＱ信号の組からなる信号であり、ＩＱ信号から入力信号の振幅成分と位相成分を得ることができる。なお、アンテナで受信した信号をＩＱ信号に変換する方法として、例えば、特開2008-301300号公報（特許文献２）の段落[0032]〜[0033]に記載の方法などがある。
【００１６】
合成部３１は、第１の受信部２１から出力された信号（第１のＩＱ信号）と第２の受信部２２から出力された信号（第２のＩＱ信号）のそれぞれの位相成分と振幅成分を補正し加算することで合成後のＩＱ信号（合成ＩＱ信号）を生成し、復調部４１に出力する。合成部３１の処理内容については後述する。
【００１７】
復調部４１は、合成されたＩＱ信号を復調して音声信号に変換し、スピーカ部５１に出力する。スピーカ部５１は、この音声信号に基づいて音声情報をユーザに提供する。
【００１８】
制御部６１は、合成部３１の動作状態を監視し、合成部３１の動作を制御する。制御部６１が、合成部３１の動作を制御する具体的な動作内容については後述する。
【００１９】
以下に、上記構成を有する本発明の受信装置（ラジオ受信機）の動作処理について説明する。
【００２０】
図３は、本発明が備える合成部３１の処理内容を例示により説明するためのブロック図である。この図に示した例では、合成部３１は、合成処理部３１−１とＷＶ算出部３１−２を備えている。ここで、ＷＶはウェイトベクトルの略である。図３において、ＩＱ信号１は第１の受信部２１から出力されるＩＱ信号（第１のＩＱ信号）である。ＩＱ信号２は第２の受信部２２から出力されるＩＱ信号（第２のＩＱ信号）である。
【００２１】
合成処理部３１−１は、ＩＱ信号１とＩＱ信号２、および、後述するＷＶ１とＷＶ２から、ＩＱ信号１とＩＱ信号２の合成により得られたＩＱ信号（合成ＩＱ信号）を出力する。なお、合成処理部３１−１は、ＰＤ受信を行っている場合は、ＷＶ算出器３１−２によって算出されたウェイトベクトルを用いてＩＱ信号の合成を行う一方、ＰＤ受信を停止している場合は、ＷＶ算出器３１−２によって算出されたウェイトベクトルを用いた合成は行わず、ウェイトベクトルを後述するような値に設定することにより、第１の受信信号のみまたは第２の受信信号のみを出力するように合成を行う。
【００２２】
合成処理部３１−１から出力された合成ＩＱ信号は、復調器４１に出力されるとともに、ＷＶ算出器３１−２に入力される。
【００２３】
ＷＶ算出器３１−２は、ＩＱ信号１とＩＱ信号２を合成して合成ＩＱ信号を生成する際のウェイトベクトル、すなわち、ＩＱ信号１に対する演算係数である第１のウェイトベクトルＷＶ１、および、ＩＱ信号２に対する演算係数である第２のウェイトベクトルＷＶ２を算出する。ＷＶ１およびＷＶ２の算出方法としては、出力される信号の振幅情報を一定にするようなウェイトベクトルを算出する方法、例えば、特開2008-301300号公報（特許文献２）の段落[0035]に記載の方法などがある。また、特開2008-301300号公報（特許文献２）の段落[0035]に記載の方法で算出したウェイトベクトルに対して、平均化処理、もしくは、フィルタ処理を行ったものを算出結果のウェイトベクトルとして出力してもよい。
【００２４】
上述したように、合成処理部３１−１は、ＩＱ信号１とＩＱ信号２の合成により合成ＩＱ信号を生成するが、ＩＱ信号１のＩ信号をＩ１、Ｑ信号をＱ１とし、ＩＱ信号２のＩ信号をＩ２、Ｑ信号をＱ２とし、合成ＩＱ信号のＩ信号をＩout、Ｑ信号をＱoutとすると、ＩoutおよびＱoutは下記の式１で与えられる。つまり、合成処理部３１−１は、式１で表した処理を行う。
【００２５】
【数１】
0005820981.tif 000002
【００２６】
ここで、第１および第２のウェイトベクトルＷＶ１およびＷＶ２は、それぞれ、（Ｗｉ１、Ｗｑ１）および（Ｗｉ２、Ｗｑ２）で表した。
【００２７】
上述したように、制御部６１は、合成部３１の動作状態を監視し、合成部３１の動作を制御する。制御部６１が、ＰＤ受信を継続するように合成部３１の動作を制御すると、合成部３１は、第１の受信部２１から出力された信号（第１のＩＱ信号）と第２の受信部２２から出力された信号（第２のＩＱ信号）を合成し、これを合成ＩＱ信号として復調部４１に出力する。復調部４１は、この合成ＩＱ信号を音声信号に変換してスピーカ部５１に出力し、スピーカ部５１により音声情報がユーザに提供される。
【００２８】
一方、制御部６１が、ＰＤ受信を停止するように合成部３１の動作を制御した場合には、合成部３１は、第１の受信部２１から出力された信号（第１のＩＱ信号）と第２の受信部２２から出力された信号（第２のＩＱ信号）のいずれかを、復調部４１に出力する。復調部４１は、上記第１又は第２のいずれかのＩＱ信号を音声信号に変換してスピーカ部５１に出力し、スピーカ部５１により音声情報がユーザに提供される。
【００２９】
つまり、制御部６１は、ＰＤ受信を行うことによる受信状態の改善効果が小さいかＰＤ受信を行うとユーザに提供する音声情報が悪化する場合にはＰＤ受信を停止し、上記第１の受信部２１から出力された信号（第１のＩＱ信号）と第２の受信部２２から出力された信号（第２のＩＱ信号）のいずれかが復調されて音声情報がユーザに提供されるように合成部３１の動作を制御する。このようなＰＤ受信を停止するか否かの判断は、第１のＩＱ信号に対する演算係数である第１のウェイトベクトルＷＶ１と、第２のＩＱ信号に対する演算係数である第２のウェイトベクトルＷＶ２の大きさの比較結果に基づいて行われる。
【００３０】
図４は、制御部６１の動作を示すフローチャート図である。制御部６１は、先ず、合成部３１から出力されたウェイトベクトルＷＶ１およびウェイトベクトルＷＶ２の値を取得する（ステップＳ１００１）。
【００３１】
これに続き、制御部６１はＷＶ判定処理を行う（ステップＳ１００２）。具体的には、ＷＶ１とＷＶ２の値に基づいて、フェーズダイバーシティ受信（ＰＤ受信）を継続するか若しくはＰＤ受信を停止するかを判断する。例えば、ＷＶ１とＷＶ２の大きさを比較して、大きさの比（もしくは大きさの差）が閾値以内か否かを判断する。そして、このＷＶ判定の結果が「ＹＥＳ」であれば、ＰＤ受信を継続する（ステップＳ１００３）。一方、ＷＶ判定の結果が「ＮＯ」であれば、ＰＤ受信を停止する（ステップＳ１００４）。
【００３２】
ここで、ＰＤ受信を停止する方法としては、合成器３１において、ＷＶ１およびＷＶ２を下記の式２の値として、ＩＱ信号１を合成ＩＱ信号として出力したり、もしくは、ＷＶ１およびＷＶ２を下記の式３の値として、ＩＱ信号２を合成ＩＱ信号として出力するなどの方法がある。
【００３３】
【数２】
0005820981.tif 000003
【００３４】
【数３】
0005820981.tif 000004
【００３５】
ＷＶ判定処理は、例えば、下記のように実行する。先ず、ＷＶ１とＷＶ２の各ウェイトベクトルの大きさを算出する。なお、ＷＶ１およびＷＶ２の大きさの値は、それぞれ、下記の式４および式５で与えられる。
【００３６】
【数４】
0005820981.tif 000005
【００３７】
【数５】
0005820981.tif 000006
【００３８】
次に、ＷＶ１とＷＶ２の大きさを比較する。そして、大きさの比（もしくは大きさの差）が閾値以内であれば、判定結果として「ＹＥＳ」を出力する。
【００３９】
ＷＶ１とＷＶ２の大きさの比は、第１の受信信号と第２の受信信号の合成の割合に対応するものである。従って、ＷＶ１とＷＶ２の大きさの比（もしくは大きさの差）が閾値以内であれば、第１の受信信号と第２の受信信号は「合成されている」ものとして取り扱うことができるが、この比（もしくは差）が閾値よりも大きい場合には、合成された信号としてよりも、寧ろ、一方の信号のみが選択されているものとして取り扱うことができる。
【００４０】
後者の場合、すなわち、ＷＶ１とＷＶ２の大きさの比（もしくは大きさの差）が閾値よりも大きい場合には、第１の受信信号と第２の受信信号の合成を行うことによる改善効果は期待できず、寧ろ、悪化させることも起こり得る。
【００４１】
そこで、上述したように、ＷＶ判定(ステップＳ１００２)の結果が「ＹＥＳ」であればＰＤ受信を継続する（ステップＳ１００３）一方、ＷＶ判定の結果が「ＮＯ」であればＰＤ受信を停止する（ステップＳ１００４）こととしている。
【００４２】
なお、ＷＶ１およびＷＶ２の大きさの値は、平均化された値でも良いし、デジタル処理の際の処理サンプル単位の値のような瞬時値でも良い。
【００４３】
上述したような制御部６１によるＰＤ動作制御は、従来技術に比較して、ユーザに対してより良好な音声の提供を可能とする。
【００４４】
従来の技術では、第１の受信部２１で得られる第１の受信信号、および、第２の受信部２２で得られる第２の受信信号のそれぞれの電界強度のうち、いずれかが閾値より小さい場合に、受信状態が良好でないと判断してＰＤ受信を行うとしている。しかし、上記のいずれかの電界強度が閾値よりも小さいことは、必ずしも、ＰＤ受信により改善効果が得られることを意味するものではない。
【００４５】
また、従来の技術では、第１の受信部２１で得られる第１の受信信号、および、第２の受信部２２で得られる第２の受信信号のそれぞれのマルチパス妨害によるノイズレベルのうち、いずれかが閾値より大きい場合に、受信状態が良好でないと判断してＰＤ受信を行うとしている。しかし、この場合も、上記のいずれかのノイズレベルが閾値よりも大きいことは、必ずしも、ＰＤ受信により改善効果が得られることを意味するものではない。
【００４６】
具体的な例で説明すると下記のとおりである。
【００４７】
従来技術によると、第１の受信部２１で得られる第１の受信信号の電界強度レベルが高く、第２の受信部２２で得られる第２の受信信号の電界強度が低い場合は、ＰＤ受信が選択されることになる。しかし、第１の受信信号の電界強度と第２の受信信号の電界強度の差が一定値以上の場合は、当該入力レベルの差のために、ＰＤ受信を行っても改善効果は小さいか、もしくは、ユーザに提供する音声がＰＤ受信を行わない場合よりも悪化してしまう。
【００４８】
また、従来技術によると、第１の受信信号のマルチパス妨害によるノイズレベルが小さく、第２の受信信号のマルチパスによるノイズレベルが大きい場合は、ＰＤ受信が選択されることになる。しかし、第１の受信信号のノイズレベルと第２の受信信号のノイズレベルとの差が大きい場合は、当該ノイズレベルの差のために、ＰＤ受信を行っても改善効果は小さいか、もしくは、ユーザに提供する音声がＰＤ受信を行わない場合よりも悪化してしまう。
【００４９】
電界強度もしくはマルチパス妨害のノイズレベルのみを独立に取り扱えば充分な状況であれば、第１の受信信号と第２の受信信号の電界強度やマルチパス妨害によるノイズレベルを検出するそれぞれの閾値と判定方法を工夫することで、上述した従来技術の拡張により、受信状態の改善が可能である。しかし、受信状態には、電界強度の大小、マルチパス妨害によるノイズレベル、また、隣接妨害によるノイズレベルなどの種々の要因が複合的に影響を与えるので、従来技術の拡張で判定するのは困難である。
【００５０】
これに対し、本実施の形態によれば、合成部３１から出力され制御部６１に入力されるＷＶ１およびＷＶ２の値に基づいてＷＶ判定処理を行い、ＰＤ受信を継続するか若しくはＰＤ受信を停止するかを判断することとしたため、ＰＤ受信の効果が小さい場合もしくはユーザに提供する音声がＰＤ受信を行わない場合よりも悪化する場合に、ＰＤ受信を停止することができ、ユーザに対して良好な音声情報を提供することができる。
【００５１】
（実施の形態２）
以下、図面を参照しながら、本発明の実施の形態２における受信装置の構成について説明する。なお、本実施の形態において、実施の形態１と同様の構成については同一符号を付し、その詳細な説明は省略する。
【００５２】
図２は、本発明の実施の形態２におけるラジオ受信機２００のブロック図である。図２に示した構成において、実施の形態１との相違点は、図１に示した実施の形態１の受信機の構成に加えて、ＲＤＳデコーダ７１と切替部８１が搭載されている点である。
【００５３】
ＲＤＳデコーダ７１は、放送信号に多重されているＲＤＳデータを復調するものである。ＲＤＳデータにより、放送信号の放送局識別コード、交通情報局識別コードなどを取得することができる。
【００５４】
図２に示した態様では、切替部８１は第２の受信部２２に接続されており、受信部２２から第２の受信信号が入力され、この第２の受信信号を、合成部３１とＲＤＳデコーダ部７１の何れに出力するかを切り替える。
【００５５】
図５は、実施の形態２の制御部６１の動作を示すフローチャート図である。図５において、ＷＶ１およびＷＶ２の情報取得（ステップＳ１００１）、ＷＶ判定（ステップＳ１００２）、ＰＤ受信継続（ステップＳ１００３）の各処理は、図４に示した実施の形態１と同じである。
【００５６】
ＷＶ判定の結果が「ＮＯ」の場合（ステップＳ１００２：ＮＯ）（すなわち、ＷＶ１とＷＶ２の大きさの比（もしくは差）が閾値よりも大きい場合）、ＰＤ受信を停止して２局受信を開始する（ステップＳ２００４）。
【００５７】
なお、上述したように、ＰＤ受信を停止する方法としては、合成器３１において、ＷＶ１およびＷＶ２を上記の式２の値として、ＩＱ信号１を「合成ＩＱ信号」として出力するなどの方法がある。この場合には、第２のＩＱ信号は、切替部８１の制御によりＲＤＳデコーダ７１へと出力される。
【００５８】
この実施の形態２では、ＰＤ受信を停止したときに、ユーザが選局している以外の放送局のＲＤＳデータが効率的に取得されることになる。その結果、ラジオ受信機のＡＦ性能、すなわち、現在聴いている放送が聞こえなくなってきたら自動的に当該放送と同じ放送を受信可能な周波数へと切り替える機能の特性などを向上させることができる。
【００５９】
なお、本実施の形態では、第２のＩＱ信号をＲＤＳデコーダ７１に出力することとしたが、ＲＤＳデコーダ７１に代えて、不図示の復調部に出力されるようにしてこれをスピーカから音声情報としてユーザに提供しても良い。あるいは、ＲＤＳデコーダ７１に代えて、不図示の電界強度測定器などに出力されるようにして、ユーザが視聴している局以外の局の情報を収集可能な構成としても良い。
【００６０】
このような実施の形態２によっても、ＰＤ受信と２局受信の切り替えが可能である。
【００６１】
図６は、実施の形態２のＰＤ受信と２局受信の切り替え方法の例を説明する図である。ＰＤ受信から２局受信に切り替える場合は、制御部６１により切り替える方法（図７中のタイミングＡ）などがある。また、２局受信からＰＤ受信に切り替える方法としては、時間を測定し、２局受信を開始してから一定時間経過後にＰＤ受信に切り替える方法（図７中のタイミングＢ）などがある。
【００６２】
本実施の形態によれば、合成部３１で得られたウェイトベクトルの値に基づき、制御部６１によって、ＰＤ受信を継続するべきか２局受信に切り替えるべきかを判定することができるので、ＰＤ受信による改善効果が小さいもしくは悪化する場合にＰＤ受信を停止して２局受信に切り替えることができるので、ユーザに良好な音声情報を提供しつつ、ユーザが視聴している以外の局のＲＤＳデータなどの情報を収集することができる。
【００６３】
以上説明したように、本発明に係る第１の態様の受信装置は、第１のアンテナに接続され、該第１のアンテナで受信した信号を第１の受信信号として出力する第１の受信部と、第２のアンテナに接続され、該第２のアンテナで受信した信号を第２の受信信号として出力する第２の受信部と、前記第１の受信信号と前記第２の受信信号を合成する合成部と、前記合成部の動作状態からフェーズダイバーシティ受信を継続するかどうかを判断し、該判断の結果に基づき前記合成部の動作を制御する制御部と、前記合成部から出力された合成受信信号を復調する復調部とを備える。
【００６４】
かかる構成とすることにより、フェーズダイバーシティ受信による改善効果が大きい場合はフェーズダイバーシティ受信を行う一方、フェーズダイバーシティ受信による改善効果が小さい場合は２局受信を行うことにより、最適な受信状態とすることが可能となる。
【００６５】
また、本発明に係る第２の態様の受信装置は、第１のアンテナに接続され、該第１のアンテナで受信した信号を第１の受信信号として出力する第１の受信部と、第２のアンテナに接続され、該第２のアンテナで受信した信号を第２の受信信号として出力する第２の受信部と、前記第２の受信部から出力された前記第２の受信信号からＲＤＳデータを出力するＲＤＳデコーダと、前記第１の受信信号と前記第２の受信信号を合成する合成部と、前記第２の受信部から出力された前記第２の受信信号を、前記合成部と前記ＲＤＳデコーダの何れか一方に出力するための切替部と、前記合成部の動作状態からフェーズダイバーシティ受信を継続するかどうかを判断し、該判断の結果に基づき、前記合成部の動作と前記切替部の動作を制御する制御部と、前記合成部から出力された合成受信信号を復調する復調部とを備える。
【００６６】
かかる構成とすることにより、ＰＤ受信を停止したときに、ユーザが選局している以外の放送局のＲＤＳデータが効率的に取得されることになる。その結果、ラジオ受信機のＡＦ性能などを向上させることができる。
【００６７】
上述した本発明に係る受信装置は、何れの態様においても、前記第１および第２の受信信号は、それぞれ、前記第１のアンテナで受信した信号を変換して得られた第１のＩＱ信号および前記第２のアンテナで受信した信号を変換して得られた第２のＩＱ信号であり、前記合成受信信号は、前記第１および第２のＩＱ信号の合成により得られた合成ＩＱ信号であり、前記合成部は、前記合成ＩＱ信号の生成に用いられるウェイトベクトルを算出するＷＶ算出部を備え、前記制御部は、前記ウェイトベクトルに基づいて、前記合成部の動作を制御する構成とすることができる。
【００６８】
かかる構成に用いられる前記ＷＶ算出部は、例えば、前記第１のＩＱ信号に対する演算係数である第１のウェイトベクトルと前記第２のＩＱ信号に対する演算係数である第２のウェイトベクトルを算出し、前記制御部は、前記第１と第２のウェイトベクトルの大きさの比較結果に基づいて、前記合成部の動作を制御する。
【００６９】
このようなウェイトベクトルの処理を行うこととした場合には、第１のウェイトベクトルＷＶ１と第２のウェイトベクトルＷＶ２の大きさの比（もしくは差）は、第１の受信信号と第２の受信信号の合成の割合を意味するため、例えば、ＷＶ１とＷＶ２の大きさの比（もしくは差）が閾値以内であれば第１の受信信号と第２の受信信号は「合成されている」ものとして取り扱うことができる一方、この比（もしくは差）が閾値よりも大きい場合には一方の信号のみが選択されているものとして取り扱うことができる。
【００７０】
また、本発明が備える前記復調部は、該復調部で復調した信号を、スピーカ部に出力する。
【００７１】
これにより、最適な状態で受信された情報が、音声情報としてユーザに提供される。
【産業上の利用可能性】
【００７２】
本発明によれば、適切なタイミングで、フェーズダイバーシティ受信と２局受信を切り替えることが可能となり、ユーザに対して、より好適な受信信号を提供することができる。このような本発明に係る受信装置は、好ましくは車載用のラジオ受信機や、ラジオ受信機能を備えたＡＶ装置やナビゲーション装置において利用される。
【符号の説明】
【００７３】
１００、２００  受信装置
１１  第１のアンテナ
１２  第２のアンテナ
２１  第１の受信部
２２  第２の受信部
３１  合成部
４１  復調部
５１  スピーカ部
６１  制御部
７１  ＲＤＳデコーダ部
８１  切替部
３１−１  合成部における合成処理部
３１−２  合成部におけるＷＶ算出部
【図１】
0005820981.tif 000007
【図２】
0005820981.tif 000008
【図３】
0005820981.tif 000009
【図４】
0005820981.tif 000010
【図５】
0005820981.tif 000011
【図６】
0005820981.tif 000012